(57)【要約】【課題】スロットマシンにおいて、スピーカーの設置スペースを確保しつつ、電飾デザイン上の自由度の幅を広げる。【解決手段】透明アクリルパネルを振動板２６としたフラットパネルスピーカー２５を、筺体２の正面の開口８に回転リール５Ｌ，５Ｃ，５Ｒを覆うように嵌め込む。フラットパネルスピーカー２５の透明アクリル振動板２６の裏面に、回転リール５Ｌ，５Ｃ，５Ｒに対応させて、表示窓や賭けライン等を印刷により区画形成する。【選択図】      図２
2004283237.tif 000002
【特許請求の範囲】
【請求項１】
筐体の正面に設けられている、複数の図柄を観察するための表示窓を含んでおり、遊技中に遊技者の視線が専ら注がれる図柄表示部と、
前記図柄表示部に関連して設けられており、透明樹脂パネルを振動板としたフラットパネルスピーカーと、を備えていることを特徴とするスロットマシン。
【請求項２】
筐体内に回転自在に設けられており、周面に互いに種類の異なる複数の図柄が周方向に沿って配列されている複数の回転リールと、
筐体の正面において前記回転リールに対応して形成されている開口と、
前記開口に前記回転リールを覆うように嵌め込まれ且つ前記回転リールの図柄を観察するための表示窓が前記回転リールに対応して区画形成されており、透明樹脂パネルを振動板としたフラットパネルスピーカーと、を備えていることを特徴とするスロットマシン。
【請求項３】
筐体内に回転自在に設けられており、周面に互いに種類の異なる複数の図柄が周方向に沿って配列されている複数の回転リールと、
筐体の正面において前記回転リールに対応して形成されており、前記回転リールの図柄を観察するための複数の表示窓と、
前記表示窓と前記回転リールとの間に配置されており、透明樹脂パネルを振動板としたフラットパネルスピーカーと、を備え、
前記フラットパネルスピーカーは、前記表示窓の裏面側であって当該表示窓を包囲する表示領域の外縁部に取り付けられていることを特徴とするスロットマシン。
【請求項４】
筐体内において、前記回転リールから離間した位置から前記回転リールと前記フラットパネルスピーカーとの隙間を通して前記表示窓内に出現する各回転リールの図柄を照らす光源をさらに備え、
前記回転リールと前記光源との位置関係は、前記光源の光の照射範囲内に前記回転リールの図柄出現領域が収まるように設定されていることを特徴とする請求項２又は３に記載のスロットマシン。
【請求項５】
筐体内に配置されており、複数の図柄の変動表示及び停止表示を行うバックライト式液晶表示装置と、
筐体の正面において前記液晶表示装置の液晶表示パネルに対応して形成されており、当該液晶表示パネル上に表示される図柄を観察するための表示窓と、
前記液晶表示パネルと一体化されており、透明樹脂パネルを振動板としたフラットパネルスピーカーと、を備えていることを特徴とするスロットマシン。
【請求項６】
前記フラットパネルスピーカーを第１のスピーカーとし、この第１のスピーカーから離間した位置において筐体の一の面に嵌め込まれている第２のスピーカーをさらに備え、
前記第１のスピーカーは、主として効果音の高音域を生かし、一方前記第２のスピーカーは、主として効果音の低音域を生かすことを特徴とする請求項１乃至５の何れかに記載のスロットマシン。
【発明の詳細な説明】
【０００１】
【発明の属する技術分野】
本発明は、遊技状況に応じてスピーカーから発せられる効果音により、遊技の演出が行われるスロットマシンに関する。
【０００２】
【従来の技術】
一般に、スロットマシンでは、始動レバーが操作されると、内部抽選が行われる。この内部抽選が終了すると、表示窓内において複数の図柄が変動表示される。その後、停止ボタンの目押し（図柄の変動をよく観察し、且つ、停止させるべき図柄が表示窓内に出現するタイミングを見計らって停止ボタンを押す行為）が行われると、停止ボタンの目押し順序に応じて、図柄が順次停止表示される。全ての図柄が停止表示されたとき、有効化された入賞ライン（以下、「賭けライン」という）上において、停止図柄の組み合わせが上記内部抽選で内部的に成立した当選役に対応する図柄の組み合わせと一致することを条件として、その組み合わせの重み（入賞役の種類）に応じた数の遊技媒体（メダルやコインを含む）が払い出される。
【０００３】
ここで、上記図柄表示手段としては、リール方式を採用したものと、液晶表示方式を採用したものとが存在する。リール方式では、外周面に互いに異なる種類の複数の図柄が周方向に沿って描かれている複数の回転リールを、機械的に回転及び停止させることにより、図柄の変動表示及び停止表示が行われる。一方、液晶表示方式では、液晶表示装置を電気的に駆動させることにより、液晶表示装置の液晶表示パネル上で図柄の変動表示及び停止表示が行われる。
【０００４】
近時、上記スロットマシンにおいては、遊技状況に応じて効果音を発するスピーカーを設け、このスピーカーから発せられる効果音により遊技の演出を行うものが主流となっている。この種のスロットマシンの典型的な例として、特許文献１、特許文献２及び特許文献３にて提案されているものを挙げることができる。
【０００５】
特許文献１で開示されているスロットマシンでは、筐体の前面側の第１のスピーカーにより、主として効果音が生かされ、筐体の側壁内面に取り付けられている音響ボックス内側の第２のスピーカーにより、主として効果音の低音部が生かされるようになっている。
【０００６】
特許文献２で開示されているスロットマシンでは、ホーン付きスピーカーを含むスピーカーの裏側から生じる極性とは逆の音を筐体内に閉じ込め、当該逆の音の前方への回り込みを防止するようにして、筐体をいわゆるエンクロジャーとして機能させるようになっている。
【０００７】
特許文献３で開示されているスロットマシンでは、筐体内で且つ液晶表示装置の背部に、液晶表示装置との間に密閉音声伝達経路を形成する経路形成部材が設けられていると共に、液晶表示装置の前面の外周縁側の特定箇所に、音声伝達経路に連通する音出口が形成されており、音声伝達経路において音出口から奥側に離間する部位に、スピーカーが設けられている。
【０００８】
【特許文献１】
特開２０００−２８８１６０号公報（段落００１０）
【特許文献２】
特開２００２−８５６３４号公報（段落００５６）
【特許文献３】
特開２００２−１３６６４９号公報（段落０００９）
【０００９】
【発明が解決しようとする課題】
しかしながら、上記特許文献１、特許文献２及び特許文献３に係るスロットマシンでは、以下の問題点が指摘されている。
【００１０】
具体的には、最近のスロットマシンでは、遊技者の興味をひき、且つ、更なる遊技者の遊技意慾を喚起するため、電飾デザインを際立たせる傾向にある。このように電飾デザインを際立たせようとすると、筐体に内装される部品点数が多くなる。その結果、スピーカーの設置スペースが確保できなくなってしまう。逆に、スピーカーの設置スペースを確保しようとすると、電飾デザインが制限される。そのため、電飾デザイン上の自由度の幅が狭くなる。その結果、電飾デザインの所期の目的を達成できなくなってしまう。
【００１１】
そこで、本発明者は、遊技中に遊技者の視線が専ら図柄表示部に注がれることに注目し、上記図柄表示部に関連させていわゆるフラットパネルスピーカーを設けるようにすれば、上記の事態に対処できるのではないかと着想した。
【００１２】
本発明は、上記着想に基づきなされたもので、スピーカーの設置スペースを確保しつつ、電飾デザイン上の自由度の幅を広げ得るスロットマシンの提供を目的とする。
【００１３】
【課題を解決するための手段】
第１の局面から観た本発明に係るスロットマシンは、筐体の正面に設けられている、複数の図柄を観察するための表示窓を含んでおり、遊技中に遊技者の視線が専ら注がれる図柄表示部と、前記図柄表示部に関連して設けられており、透明樹脂パネルを振動板としたフラットパネルスピーカーと、を備えていることを特徴とする。
上記フラットパネルスピーカーが前記図柄表示部に関連して設けられるとは、当該図柄表示部としての複数の図柄を印刷などにより施した複数の（一般的には、３つの回転リール）回転リールの前面側に設けられる。しかも、前記フラットパネルスピーカーは、スロットマシンの前面パネルとして機能し、斜め上方に振動して音を発する平面部が配置されることによって、遊技者の顔に向かって効率良く音を伝達できるように構成することが好ましい。
【００１４】
上記構成によると、スピーカーの設置スペースを確保した上で、電飾デザイン上の設計自由度の幅を広くすることができる。その結果、マシンデザインは、スピーカー及び電飾の両者の利点を生かしたものとなる。また、筐体は、島状の遊技台上に設置されるが、隣接するマシン同士及び表裏関係にあるマシン同士で効果音が錯綜して喧音化することはない。換言すると、一の遊技者は、当該遊技者自身の遊技に伴う効果音が耳に入り易くなり、一方他の遊技者の遊技に伴う効果音は耳に入り難くなる。
つまり、この発明はこれに限定されるものではないが、後述する実施の形態に記載されるスロットマシンのように、筐体の正面に設けられる前扉、すなわち、キャビネットの開口を閉塞する前扉に対して、複数の回転リールに設けられた図柄を遊技者が遊技を行う場合に位置する場所から視認可能なように透明素材からなる表示窓を設け、その表示窓の周辺部分には、複数の電飾としての報知ランプが設置されている。そして、前記表示窓を形成する前面パネルの下方には、蛍光灯を内蔵した腰部パネルが設けられており、スピーカーを設ける位置に工夫が必要であった。その結果、スピーカーを設ける位置として、前記前扉の上部に設けられるか、腰部パネルの下に設けられる下皿の左右に設けられるのが一般的であったため、音が遊技者に耳に届き難く、ボリュームを上げて対応していた。このようなスピーカーを設ける位置の制約や非効率に遊技者に音を伝える問題をこの発明は解消する。
【００１５】
第２の局面から観た本発明に係るスロットマシンは、筐体内に回転自在に設けられており、周面に互いに種類の異なる複数の図柄が周方向に沿って配列されている複数の回転リールと、筐体の正面において前記回転リールに対応して形成されている開口と、前記開口に前記回転リールを覆うように嵌め込まれ且つ前記回転リールの図柄を観察するための表示窓が前記回転リールに対応して区画形成されており、透明樹脂パネルを振動板としたフラットパネルスピーカーと、を備えていることを特徴とする。
【００１６】
上記構成において、フラットパネルスピーカーを筐体の正面の開口に回転リールを覆うように嵌め込むと共に、フラットパネルスピーカーに表示窓を回転リールに対応させて区画形成している。換言すると、フラットパネルスピーカーは、回転リールを覆い且つ表示窓が区画形成されている、いわゆる前面被覆パネルを兼用している。そのため、スピーカーの設置スペースを確保しつつ、電飾デザイン上の自由度の幅を広くすることができる結果、マシンデザインは、スピーカー及び電飾の両者の利点を生かしたものとなる。また、筐体を遊技台上に設置した状態においては、マシン同士の間で効果音が喧音化することはない。
【００１７】
第３の局面から観た本発明に係るスロットマシンは、筐体内に回転自在に設けられており、周面に互いに種類の異なる複数の図柄が周方向に沿って配列されている複数の回転リールと、筐体の正面において前記回転リールに対応して形成されており、前記回転リールの図柄を観察するための複数の表示窓と、前記表示窓と前記回転リールとの間に配置されており、透明樹脂パネルを振動板としたフラットパネルスピーカーと、を備え、前記フラットパネルスピーカーは、前記表示窓の裏面側であって当該表示窓を包囲する表示領域の外縁部に取り付けられていることを特徴とする。
【００１８】
上記構成において、フラットパネルスピーカーを表示窓と回転リールとの間に配置し、フラットパネルスピーカーを表示窓の裏面側であって当該表示窓を包囲する表示領域の外縁部に取り付けている。そのため、スピーカーの設置スペースを確保した上で、電飾デザイン上の自由度の幅を広くすることができる結果、マシンデザインは、スピーカー及び電飾の両者の利点を生かしたものとなる。また、筐体を遊技台上に設置した状態においてには、マシン同士の間で効果音が喧音化することはない。
【００１９】
第２の局面及び第３の局面から観た本発明に係るスロットマシンは、筐体内において、前記回転リールから離間した位置から前記回転リールと前記フラットパネルスピーカーとの隙間を通して前記表示窓内に出現する各回転リールの図柄を照らす光源をさらに備え、前記回転リールと前記光源との位置関係は、前記光源の光の照射範囲内に前記回転リールの図柄出現領域が収まるように設定されていることを特徴とする。
【００２０】
上記構成では、表示窓内に出現する回転リールの図柄を観察する際、表示窓内での回転リールの図柄出現領域は、常に、光源により照らされるようになっている。そのため、フラットパネルスピーカーを介在させた図柄観察状態であっても、遊技者は、表示窓内に出現する回転リールの図柄の種類を確実に把握することができる。その結果、遊技者の目押しに悪影響を与えることはない。
【００２１】
第４の局面から観た本発明に係るスロットマシンは、筐体内に配置されており、複数の図柄の変動表示及び停止表示を行うバックライト式液晶表示装置と、筐体の正面において前記液晶表示装置の液晶表示パネルに対応して形成されており、当該液晶表示パネル上に表示される図柄を観察するための表示窓と、前記液晶表示パネルと一体化されており、透明樹脂パネルを振動板としたフラットパネルスピーカーと、を備えていることを特徴とする。
【００２２】
上記構成において、フラットパネルスピーカーを液晶表示パネルと一体化している。そのため、スピーカーの設置スペースを確保した上で、電飾デザイン上の自由度の幅を広くすることができる結果、マシンデザインは、スピーカー及び電飾の両者の利点を生かしたものとなる。また、筐体を遊技台に設置した状態においては、マシン同士の間で効果音が喧音化することはない。さらに、表示窓内に出現する図柄を観察するとき、表示窓内での図柄出現領域は、常に、液晶表示装置のバックライトにより照らされる。そのため、フラットパネルスピーカーを介在させた表示窓からの図柄観察状態であっても、遊技者は、表示窓内に出現する図柄の種類を確実に把握することができる結果、遊技者の目押しに支障をきたすことはない。
【００２３】
第１の局面乃至第４の局面からから観た本発明に係るスロットマシンは、前記フラットパネルスピーカーを第１のスピーカーとし、この第１のスピーカーから離間した位置において筐体の一の面に嵌め込まれている第２のスピーカーをさらに備え、前記第１のスピーカーは、主として効果音の高音域を生かし、一方前記第２のスピーカーは、主として効果音の低音域を生かすことを特徴とする。
【００２４】
上記構成では、第１のスピーカーとしてのフラットパネルスピーカーにより、主として効果音の高音域を生かし、一方第１のスピーカーから離間した位置にある第２のスピーカーにより、主として効果音の低音域を生かすようになっている。そのため、低音域を担当する第２のスピーカーを薄型化及び小型化できる。その結果、第２のスピーカーを筐体の一の面に嵌め込んでも、電飾デザインに差ほど影響を与えることはない。
【００２５】
なお、上記透明樹脂パネルとしては、例えば、透明アクリルパネルを例示することができる。
【００２６】
【発明の実施の形態】
以下、本発明の実施の形態について、添付図面に基づき詳細に説明する。
【００２７】
＜実施の形態１＞
図１及び図２を参照して、本実施の形態１に係るスロットマシン１は、図外の島状の遊技台上に設置される筺体２を備えている。この筺体２は、前面を開口した箱形形状を有しているキャビネット３と、キャビネット３の前記開口を適宜閉塞可能なように開閉自在に設けられている前扉４とから構成されている。
【００２８】
キャビネット３内には、主として、３つの回転リール５Ｌ，５Ｃ，５Ｒが横一列に並んだ状態で回転自在に設けられている。これら回転リール５Ｌ，５Ｃ，５Ｒの外周面には、互いに異なる種類の複数の図柄が周方向に沿って描かれている。各リール５Ｌ，５Ｃ，５Ｒの回転軸６は、それぞれ、独立してステッピングモーター（図示せず）の出力軸に結合されている。
【００２９】
前扉４の中央部には、正面パネル７が装着されている。正面パネル７の主要部には、予め定める面積を以って開口８が形成されており、この開口８には、回転リール５Ｌ，５Ｃ，５Ｒを覆うように、前面被覆パネル（いわゆる腰部パネル）９が嵌め込まれている。
【００３０】
前面被覆パネル９の裏面には、装飾模様等を含む印刷加工が施されており、この印刷によって区画される領域内に３つの表示窓１０Ｌ，１０Ｃ，１０Ｒや５本の賭けラインが形成されている。特に、表示窓１０Ｌ，１０Ｃ，１０Ｒは、回転リール５Ｌ，５Ｃ，５Ｒに対応して印刷により区画形成されている。それゆえ、各表示窓１０Ｌ，１０Ｃ，１０Ｒを通して各回転リール５Ｌ，５Ｃ，５Ｒの図柄が３つずつ観察される。
【００３１】
右表示窓１０Ｌの右側には、液晶表示パネル（以下、「ＬＣＤパネル」という）１１が設けられており、このＬＣＤパネル１１と右表示窓１０Ｒとの間には、５つの賭けライン表示ランプ１２が設けられている。ＬＣＤパネル１１は、遊技の演出に関連する情報の表示を行うためのものである。一方、賭けライン表示ランプ１２は、表示窓１０Ｌ，１０Ｃ，１０Ｒ上を通過する５本の賭けラインのうちから何れのラインを賭けの対象とするかを表示するためのものである。これらＬＣＤパネル１１及び賭けライン表示ランプ１２は、前面被覆パネル９により覆われている。
【００３２】
前扉４の上部には、上パネル１３が装着されており、この上パネル１３の主要部には、演出ランプ群１４が設けられている。演出ランプ群１４は、遊技状況に応じて予め定める態様で点灯する。一方、前扉４の下部には、下パネル１５が装着されており、この下パネル１５には、機種名及びイメージデザインが印刷されている。
【００３３】
正面パネル７と下パネル１５との間には、操作部１６が設けられている。この操作部１６には、メダル投入口１７、ベットボタン１８、始動レバー１９、停止ボタン２０Ｌ，２０Ｃ，２０Ｒ、及びクレジット／精算切替ボタン２１が備えられている。
【００３４】
ベットボタン１８は、投入口から投入されたメダルを何枚賭けるかを設定する際に使用される。遊技者が賭けようとするメダルの賭け枚数分に応じてベットボタン１８を押圧操作すると、当該メダルの賭け枚数に対応する賭けライン表示ランプ１２が点灯する。なお、本スロットマシン１においては、これに本発明が限定されないが賭け枚数は３枚が限度としてある。
【００３５】
上記賭けラインは、ベットボタン１８の操作回数によって異なる。具体的には、１回の操作では、表示窓１０Ｌ，１０Ｃ，１０Ｒの中段において水平に延びる１ラインが賭けラインの対象となる。２回の操作では、上記１ラインに、表示窓１０Ｌ，１０Ｃ，１０Ｒの上下段において水平に延びる２ラインを加えた、３ラインが賭けラインの対象となる。３回の操作では、上記３ラインに、表示窓１０Ｌ，１０Ｃ，１０Ｒの対角線上の２ラインを加えた、５ラインが賭けラインの対象となる。なお、４回以上の操作は無効となる。
【００３６】
上記手順に則して賭けメダルの枚数が設定されると、遊技者によって設定された賭け枚数分のメダルが取り込まれ、遊技を開始する条件が整う。この状態において、遊技者が始動レバー１９をＯＮ操作すると、内部抽選が行われる。内部抽選が終了すると、各リール５Ｌ，５Ｃ，５Ｒの回転が開始される。その結果、表示窓１０Ｌ，１０Ｃ，１０Ｒ内において、回転リール５Ｌ，５Ｃ，５Ｒの図柄が変動表示される。
【００３７】
各停止ボタン２０Ｌ，２０Ｃ，２０Ｒは、各回転リール５Ｌ，５Ｃ，５Ｒに対応して配置されている。これら停止ボタン２０Ｌ，２０Ｃ，２０Ｒが遊技者により目押しされると、停止ボタン２０Ｌ，２０Ｃ，２０Ｒの目押し順序に応じてリール５Ｌ，５Ｃ，５Ｒの回転が順次停止する。その結果、表示窓１０Ｌ，１０Ｃ，１０Ｒ内において、回転リール５Ｌ，５Ｃ，５Ｒの図柄が目押し順序に応じて順次停止表示される。
【００３８】
全ての回転リール５Ｌ，５Ｃ，５Ｒの図柄が停止した時点で、遊技者が賭け対象とした賭けライン上に上記内部抽選で内部的に成立した当選役の図柄の組み合わせの１つが揃ったときには、その組み合わせの重み（入賞役の種類）に従って、予め定められている枚数のメダルが放出口２２から受け皿２３に払い出される。
【００３９】
クレジット／精算切替ボタン２１は、メダルのマニュアル投入モードとクレジットモードとを互いに切り替えるためのものである。
【００４０】
下パネル１５の下方には、メダル放出口２２、メダル受け皿２３、及びスピーカー２４が設けられている。スピーカー２４は、放出口２２の右側において前扉４に嵌め込まれている。
【００４１】
なお、本スロットマシン１では、特に図示していないが、所定の電飾デザインに基づいて、前扉４の前面周縁に沿って電飾用のＬＥＤアレイが装着されている。
【００４２】
図３に示すように、スロットゲーム中において、遊技者の視線は、専ら表示窓１０Ｌ，１０Ｃ，１０Ｒを含む図柄表示部Ａに注がれる。この点に着目し、本実施の形態１では、回転リール５Ｌ，５Ｃ，５Ｒを覆い且つ表示窓１０Ｌ，１０Ｃ，１０Ｒや賭けライン等が区画形成されている前面被覆パネル９として、透明アクリルパネルを振動板２６とするフラットパネルスピーカー２５が適用されている。換言すると、フラットパネルスピーカー２５は、前面被覆パネル９を兼用している。
【００４３】
図４を参照して、フラットパネルスピーカー２５の透明アクリル振動板２６内には、２つのイクサイター（駆動部）２７Ｌ，２７Ｒが封止されている。これらイクサイター２７Ｌ，２７Ｒは、磁気回路及びボイスコイルを含んでおり、図柄観察の邪魔にならないように、振動板２６の左下隅部及び右下隅部に配置されている。
【００４４】
また、本実施の形態１では、図５に示すように、筺体２内において、回転リール５Ｌ，５Ｃ，５Ｒから離間した上方位置から回転リール５Ｌ，５Ｃ，５Ｒとフラットパネルスピーカー２５との隙間を通じて表示窓１０Ｌ，１０Ｃ，１０Ｒ内に出現する回転リール５Ｌ，５Ｃ，５Ｒの図柄を照らす光源２８が備えられている。この光源２８としては、全リール５Ｌ，５Ｃ，５Ｒの幅寸法に合わせて長軸の蛍光灯が採用されている。
【００４５】
回転リール５Ｌ，５Ｃ，５Ｒと光源２８との位置関係は、光源２８の光の照射範囲Ｂ内に上記回転リール５Ｌ，５Ｃ，５Ｒの図柄出現領域Ｃが収まるように設定されている。この位置関係を満足するように、光源２８は、前扉４のブラケット２９に取り付けられている、ソケット３０に対して着脱自在に装着されている。ブラケット２９は、前扉４の裏面側から内方に向かって所定角度折り曲げられている。
【００４６】
さらに、本実施の形態１では、フラットパネルスピーカー２５を第１のスピーカーとすると共に、スピーカー２４を第２のスピーカーとし、第１のスピーカーとしてのフラットパネルスピーカー２５により、主として効果音の高音域を生かし、一方第２のスピーカーとしてのスピーカー２４により、主として効果音の低音域を生かすようにしている。
上記フラットパネルスピーカーとしては、平成１４年９月１７日にｈｔｔｐ：／／ｗｗｗ．ａｕｔｈｅｎｔｉｃ．ｃｏ．ｊｐ（株式会社オーセンティック社ホームページ）で新製品として紹介されている、液晶モニターの液晶画面保護のための透明なアクリルパネルをスピーカーの振動板としたスピーカー一体化液晶ディスプレイに使われるものを採用することができる。このホームページによると、このフラットパネルスピーカーは、英国ロンドンに所在するニュートランスデューサ社が開発し、ＳｏｕｎｄＶｕ（登録商標：サウンドビュー）技術として確立したものである。
【００４７】
本実施の形態１によると、以下の作用・効果を奏する。
【００４８】
（１）  透明アクリルパネルを振動板２６としたフラットパネルスピーカー２５を表示窓１０Ｌ，１０Ｃ，１０Ｒを含む図柄表示部Ａに関連して設けている。具体的には、フラットパネルスピーカー２５の透明アクリル振動板２６を、筺体２の正面の開口８に回転リール５Ｌ，５Ｃ，５Ｒを覆うように嵌め込むと共に、当該透明アクリル振動板２６の裏面に、回転リール５Ｌ，５Ｃ，５Ｒに対応させて、表示窓１０Ｌ，１０Ｃ，１０Ｒや賭けライン等を印刷により区画形成している。すなわち、フラットパネルスピーカー２５は、前面被覆パネル９を兼用している。そのため、スピーカーの設定スペースを確保した上で、電飾デザイン上の自由度の幅を広くすることができる。その結果、マシンデザインは、スピーカー及び電飾の両者の利点を生かしたものとなる。また、筺体２は、島状の遊技台上に設置されるが、隣接するマシン同士及び表裏関係にあるマシン同士で効果音が錯綜して喧音果することはない。換言すると、一の遊技者は、当該遊技者自身の遊技に伴う効果音が耳に入り易くなり、一方他の遊技者の遊技に伴う効果音は耳に入り難くなる。
【００４９】
（２）  表示窓１０Ｌ，１０Ｃ，１０Ｒに出現する回転リール５Ｌ，５Ｃ，５Ｒの図柄を観察する際、表示窓１０Ｌ，１０Ｃ，１０Ｒ内での回転リール５Ｌ，５Ｃ，５Ｒの図柄出現領域Ｃは、常に、光源２８に照らされるようになっている。そのため、実質的にはフラットパネルスピーカー２５を通じての図柄観察状態であっても、遊技者は、表示窓１０Ｌ，１０Ｃ，１０Ｒ内に出現する回転リール５Ｌ，５Ｃ，５Ｒの図柄の種類を確実に把握することができる。その結果、遊技者の目押しに支障をきたすことはない。
【００５０】
（３）  図柄表示部Ａに位置しており、且つ、第１のスピーカーとして機能するフラットパネルスピーカー２５により、主として効果音の高音域を生かし、一方図柄表示部Ａから離間しており、且つ、第２のスピーカーとして機能するスピーカー２４により、主として効果音の低音域を生かすようになっている。そのため、低音域を担当する第２のスピーカー２４を薄型化及び小型化できる。その結果、第２のスピーカー２４を前扉４の下部に嵌め込んでも、電飾デザインに差ほど影響を与えることはない。
【００５１】
＜実施の形態２＞
図６乃至図８を参照して、実施の形態２に係るスロットマシン１は、前面被覆パネル（腰部パネル）を使用しないことを前提としており、その特徴は、フラットパネルスピーカー２５の透明アクリル振動板２６を表示窓１０Ｌ，１０Ｃ，１０Ｒと回転リール５Ｌ，５Ｃ，５Ｒとの間に配置している点にあり、その他の構成は実施の形態１と同様である。
【００５２】
フラットパネルスピーカー２５の透明アクリル振動板２６は、ねじ止めや接合（接着を含む）により、表示窓１０Ｌ，１０Ｃ，１０Ｒの裏面側であって当該表示窓１０Ｌ，１０Ｃ，１０Ｒを包囲する表示領域の外縁部に取り付けられている。
【００５３】
本実施の形態２によると、実施の形態１の（３）と同様の作用・効果を奏することに加えて、以下の作用・効果を奏する。
【００５４】
（１）  フラットパネルスピーカー２５の透明アクリル振動板２６を表示窓１０Ｌ，１０Ｃ，１０Ｒと回転リール５Ｌ，５Ｃ，５Ｒとの間に配置すると共に、当該透明アクリル振動板２６を表示窓１０Ｌ，１０Ｃ，１０Ｒの裏面側であって当該表示窓１０Ｌ，１０Ｃ，１０Ｒを包囲する表示領域の外縁部に取り付けている。そのため、スピーカーの設置スペースを確保しつつ、電飾デザイン上の自由度が広がる結果、マシンデザインは、スピーカー及び電飾の両者の利点を生かしたものとなる。また、筺体２を遊技台上に設置した状態においては、マシン同士の間で効果音が喧音化するのを防止できる。
【００５５】
（２）  表示窓１０Ｌ，１０Ｃ，１０Ｒ内に出現する回転リール５Ｌ，５Ｃ，５Ｒの図柄を観察する際、表示窓１０Ｌ，１０Ｃ，１０Ｒ内での回転リール５Ｌ，５Ｃ，５Ｒの図柄出現領域Ｃは、常時、光源２８により照らされる。そのため、フラットパネルスピーカー１０Ｌ，１０Ｃ，１０Ｒを介在させた表示窓１０Ｌ，１０Ｃ，１０Ｒからの図柄観察状態であっても、遊技者は、表示窓１０Ｌ，１０Ｃ，１０Ｒ内に出現する回転リール５Ｌ，５Ｃ，５Ｒの図柄の種類を確実に把握できる結果、遊技者の目押しに悪影響を与えることはない。
【００５６】
＜実施の形態３＞
図９及び図１０を参照して、実施の形態３に係るスロットマシン１は、図柄表示手段として、電気的に図柄の変動表示及び停止表示を行うバックライト式液晶表示装置（以下、「バックライト式ＬＣＤ」という）４０を採用し、当該ＬＣＤ４０のＬＣＤパネル４１に表示される図柄を表示窓１０Ｌ，１０Ｃ，１０Ｒから観察することを前提としており、その特徴は、フラットパネルスピーカー２５の透明アクリル振動板２６をバックライト式ＬＣＤ４０のＬＣＤパネル４１と一体化している点にあり、その他の構成は実施の形態２と同様である。
【００５７】
バックライト式ＬＣＤ４０は、そのＬＣＤパネル４１の背面側に配置されているバックライト４２と、バックライト４２から照射された光を反射してＬＣＤパネル４１に導く反射ボックス４３とを備えている。バックライト４２は、反射ボックス４３の最奥部に設けられている、ソケット４４に対して着脱自在に装着されている。なお、バックライト４２としては、ＬＣＤパネル４１の幅寸法に合わせて長軸の蛍光灯が採用されている。
【００５８】
上記透明アクリル振動板２６及びＬＣＤパネル４１の両者は、図１１に示すように、透明クッション５０を挟んだ状態で、音響特性を損なわないように一体化されている。このとき、防塵対策等が施されるのは勿論である。
【００５９】
本実施の形態３によると、実施の形態１の（３）と同様の作用・効果を奏することに加えて、以下の作用・効果を奏する。
【００６０】
具体的には、フラットパネルスピーカー２５の透明アクリル振動板２６をバックライト式ＬＣＤ４０のＬＣＤパネル４１と一体化している。そのため、スピーカーの設置スペースを確保した上で、電飾デザイン上の自由度が広がる結果、マシンデザインは、スピーカー及び電飾の両者の利点を生かしたものとなる。また、筺体２を遊技台上に設置した状態においては、効果音はマシン同士の間で喧音化しない。さらに、表示窓１０Ｌ，１０Ｃ，１０Ｒを通して出現図柄を観察する際、表示窓１０Ｌ，１０Ｃ，１０Ｒ内での図柄出現領域Ｃは、常に、バックライト４２により照らされる。そのため、フラットパネルスピーカー２５を介在させた表示窓１０Ｌ，１０Ｃ，１０Ｒからの図柄観察状態であっても、遊技者は、表示窓１０Ｌ，１０Ｃ，１０Ｒ内に出現する図柄の種類を確実に把握することができる結果、遊技者の目押しに悪影響を与えないで済む。
【００６１】
なお、本発明は上記実施の形態１乃至実施の形態３に限定されるものではない。
【００６２】
（１）  上記実施の形態１及び実施の形態２において、光源２８の光を下又は上下若しくは上下左右からフラットパネルスピーカー２５と回転リール５Ｌ，５Ｃ，５Ｒとの隙間を通して回転リール５Ｌ，５Ｃ，５Ｒの図柄出現領域Ｃに照射するようにしてもよい。
【００６３】
（２）  フラットパネルスピーカー２５を表示窓１０Ｌ，１０Ｃ，１０Ｒの前方に配置し、このフラットパネルスピーカー２５を表示窓１０Ｌ，１０Ｃ，１０Ｒの表面側であって当該表示窓１０Ｌ，１０Ｃ，１０Ｒを包囲する表示領域の外縁部に取り付ける構成としても、本発明の目的は十分に達成し得る。
【００６４】
上記実施の形態１乃至実施の形態３においては、第２のスピーカー２４を前扉４の下部に設置した例について記載したが、前扉４に対する第２のスピーカー２４の設置位置は、当該位置に限定されない。例えば、第２のスピーカー２４を前扉４の上部に嵌め込んでもよい。
【００６５】
その他、本発明の請求の範囲内での種々の設計変更及び修正を加え得ることは勿論である。
【００６６】
【発明の効果】
以上の説明から明らかな通り、本発明によると、スピーカーの設置スペースを確保した上で、電飾デザイン上の自由度の幅を広げることができる。
【図面の簡単な説明】
【図１】本発明の実施の形態１に係るスロットマシンの外観構成を示す斜視図。
【図２】スロットマシンの一部を切り欠いて示す側面図。
【図３】遊技者の視線と図柄表示部との位置関係を示す図。
【図４】フラットスピーカーの構成を示しており、同図（Ａ）は斜視図、同図（Ｂ）は同図（Ａ）のＶＡ−ＶＡ線に沿う断面図。
【図５】図２のＸ部を拡大して示す図。
【図６】本発明の実施の形態２に係るスロットマシンの外観構成を示す斜視図。
【図７】スロットマシンの一部を切り欠いて示す側面図。
【図８】図７のＹ部を拡大して示す図。
【図９】本発明の実施の形態３に係るスロットマシンの一部を切り欠いて示す側面図。
【図１０】図９のＺ部を拡大して示す図。
【図１１】フラットパネルスピーカーとＬＣＤパネルとの一体化構造を示す分解斜視図。
【符号の説明】
１  スロットマシン
２  筺体
５Ｌ，５Ｃ，５Ｒ  回転リール
８  開口
９  前面被覆パネル
１０Ｌ，１０Ｃ，１０Ｒ  表示窓
２４  スピーカー
２５  フラットパネルスピーカー
２６  透明アクリル振動板
２８  光源
４０  バックライト式ＬＣＤ
４１  ＬＣＤパネル
４２  バックライト
Ａ  図柄表示部
Ｂ  照射範囲
【図１】
2004283237.tif 000003
【図２】
2004283237.tif 000004
【図３】
2004283237.tif 000005
【図４】
2004283237.tif 000006
【図５】
2004283237.tif 000007
【図６】
2004283237.tif 000008
【図７】
2004283237.tif 000009
【図８】
2004283237.tif 000010
【図９】
2004283237.tif 000011
【図１０】
2004283237.tif 000012
【図１１】
2004283237.tif 000013